(57)【特許請求の範囲】
【請求項１】
主たる番組を放送するためのメインチャンネルと比較的短時間の独立した番組を放送するためのサブチャンネルとを含む複数のチャンネルの放送信号が多重された放送波を受信し、各チャンネルの放送信号に含まれるヘッダ情報に基づいて、ユーザによって選択された１つのチャンネルを選局することが可能なデジタル放送受信機において、サブチャンネルで送信されてくる１つの番組の受信データは、それぞれヘッダ部とサブチャンネル情報部からなる複数のフレームによって構成され、各フレームのヘッダ部には、フレーム番号を含むヘッダ情報が書き込まれており、
選局されたチャンネルの受信データに復調処理を施して出力する復調手段と、
サブチャンネルで送信されてくる番組の受信データを１番組分、格納することが可能な容量を有し、１つの番組の受信データを構成する複数のフレームについて先頭のフレームから末尾のフレームまでのフレーム番号に対応するアドレスを有するメモリと、
メインチャンネルが選局された状態、及びサブチャンネルが選局された状態で、サブチャンネルで送信されてくる番組の受信データの各フレームをヘッダ情報に含まれるフレーム番号から一意に決定されるアドレスに上書きする動作を繰り返すことによって、１番組分の受信データを常に更新しつつ前記メモリに書き込むメモリ書込み制御手段と、
メインチャンネルからサブチャンネルへの切替え操作に応じ、サブチャンネルで送信されてくる番組の受信データに含まれるヘッダ情報に基づいて、該番組の受信データを構成するフレームの総数を認識し、先頭のフレームから、フレーム総数によって決まる末尾のフレームまで、前記メモリの対応するアドレスから順次受信データを読み出しつつ、復調手段に供給する動作を繰り返すメモリ読出し制御手段
とを具えていることを特徴とするデジタル放送受信機。
【請求項２】
各フレームのヘッダ情報には、フレームの総数が含まれており、前記メモリ読出し制御手段は、前記ヘッダ情報のフレーム総数に基づいて、メモリから読み出された受信データが末尾のフレームであることを認識する請求項１に記載のデジタル放送受信機。
【請求項３】
更に、メインチャンネルの受信データとサブチャンネルの受信データを切り替えて復調手段へ供給するデータ切替え手段を具え、該データ切替え手段は、サブチャンネルで送信されてくる１つの番組の受信データを復調手段へ供給する動作が終了した後、メインチャンネルで送信されてくる１つの番組の受信データを復調手段へ供給する動作へ自動的に切り替えられる請求項１又は請求項２に記載のデジタル放送受信機。
【請求項４】
更に、メインチャンネルの受信データとサブチャンネルの受信データを切り替えて復調手段へ供給するデータ切替え手段を具え、該データ切替え手段は、サブチャンネルからメインチャンネルへの切替え操作に応じて、サブチャンネルで送信されてくる１つの番組の受信データを復調手段へ供給する動作から、メインチャンネルで送信されてくる１つの番組の受信データを復調手段へ供給する動作に切り替える請求項１又は請求項２に記載のデジタル放送受信機。
【発明の詳細な説明】
【０００１】
【発明の属する技術分野】
本発明は、複数のチャンネルの放送信号が多重された放送波の受信機であって、各チャンネルの放送信号に含まれるヘッダ情報に基づいて、ユーザによって選択された１つのチャンネルを選局することが可能なデジタル放送受信機に関するものである。
【０００２】
【従来の技術】
近年、移動体向けのデジタル音声放送として、デジタル音声信号を高能率符号化し、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）により変調して放送するＤＡＢ（Ｄｉｇｉｔａｌ  Ａｕｄｉｏ  Ｂｒｏａｄｃａｓｔ）方式の実用化が進んでいる。又、既存のアナログ音声放送と同一の周波数帯域を利用するＩＢＯＣ（Ｉｎ−Ｂａｎｄ  Ｏｎ−Ｃｈａｎｎｅｌ）方式のデジタル音声放送の検討も行なわれている。
【０００３】
この様なデジタル音声放送においては、複数チャンネルの放送信号を多重して、同一の信号帯域で送信することが可能であり、例えば、主たる番組を放送するためのメインチャンネルと、天気予報や交通情報等の比較的短時間の独立した番組を繰り返し放送するためのサブチャンネルとを設けて、これらのチャンネルの放送信号を同時に送信することが可能である。各チャンネルの放送信号には、ヘッダ情報が含まれており、受信機側では、ヘッダ情報に基づいて１つのチャンネルを選局することが可能である。
【０００４】
【発明が解決しようとする課題】
ところで、デジタル放送受信機にて、受信チャンネルをメインチャンネルからサブチャンネルに切り替えたとき、サブチャンネルで放送されている番組が既に始まっており、番組の途中からでは、番組の内容を理解することが出来ないことがある。この場合、その番組の放送が初めから繰り返されるまで待たねばならず、不便である問題があった。
【０００５】
そこで本発明の目的は、受信チャンネルをメインチャンネルからサブチャンネルに切り替えたとき、サブチャンネルで放送されている番組を常に最初から視聴することが出来るデジタル放送受信機を提供することである。
【０００６】
【課題を解決する為の手段】
本発明に係るデジタル放送受信機は、メインチャンネルとサブチャンネルの放送信号が多重された放送波を受信し、各チャンネルの放送信号に含まれるヘッダ情報に基づいて、ユーザによって選択された１つのチャンネルを選局することが可能であって、サブチャンネルで送信されてくる１つの番組の受信データは、それぞれヘッダ部とサブチャンネル情報部からなる複数のフレームによって構成され、各フレームのヘッダ部には、フレーム番号を含むヘッダ情報が書き込まれている。そして、該デジタル放送受信機は、
選局されたチャンネルの受信データに復調処理を施して出力する復調手段と、
サブチャンネルで送信されてくる番組の受信データを１番組分、格納することが可能な容量を有し、１つの番組の受信データを構成する複数のフレームについて先頭のフレームから末尾のフレームまでのフレーム番号に対応するアドレスを有するメモリと、
メインチャンネルが選局された状態、及びサブチャンネルが選局された状態で、サブチャンネルで送信されてくる番組の受信データの各フレームをヘッダ情報に含まれるフレーム番号から一意に決定されるアドレスに上書きする動作を繰り返すことによって、１番組分の受信データを常に更新しつつ前記メモリに書き込むメモリ書込み制御手段と、
メインチャンネルからサブチャンネルへの切替え操作に応じ、サブチャンネルで送信されてくる番組の受信データに含まれるヘッダ情報に基づいて、該番組の受信データを構成するフレームの総数を認識し、先頭のフレームから、フレーム総数によって決まる末尾のフレームまで、前記メモリの対応するアドレスから順次受信データを読み出しつつ、復調手段に供給する動作を繰り返すメモリ読出し制御手段
とを具えている。
【０００７】
上記本発明のデジタル放送受信機においては、サブチャンネルで送信されてくる番組の受信データが常に更新されつつメモリに書き込まれており、例えば同じ番組が繰り返し放送されている場合、該メモリには、何れかのアドレスを先頭アドレスとして、その番組を構成している全ての受信データが常時格納されていることになる。又、サブチャンネルの番組が変更された場合であっても、その変更後の番組を構成している全ての受信データが、何れかのアドレスを先頭アドレスとしてメモリに格納されることになる。
従って、メインチャンネルからサブチャンネルへの切替え操作が行なわれた時点で、メモリに格納されている受信データを前記先頭アドレスから読み出して、復調手段に供給することによって、その番組を最初から最後まで再生することが出来る。
【０００８】
具体的構成において、各フレームのヘッダ情報には、フレームの総数が含まれており、前記メモリ読出し制御手段は、前記ヘッダ情報のフレーム総数に基づいて、メモリから読み出された受信データが末尾のフレームであることを認識する。
これによって、メモリから１つの番組の受信データを読み出す際の制御が容易となる。
【０００９】
更に具体的な構成において、本発明に係るデジタル放送受信機は、メインチャンネルの受信データとサブチャンネルの受信データを切り替えて復調手段へ供給するデータ切替え手段を具え、該データ切替え手段は、サブチャンネルで送信されてくる１つの番組の受信データを復調手段へ供給する動作が終了した後、メインチャンネルで送信されてくる１つの番組の受信データを復調手段へ供給する動作へ自動的に切り替えられる。
或いは、該データ切替え手段は、サブチャンネルからメインチャンネルへの切替え操作に応じて、サブチャンネルで送信されてくる１つの番組の受信データを復調手段へ供給する動作から、メインチャンネルで送信されてくる１つの番組の受信データを復調手段へ供給する動作に切り替える。
これによってメインチャンネルの番組の視聴を継続することが出来る。
【００１０】
【発明の効果】
本発明に係るデジタル放送受信機によれば、受信チャンネルをメインチャンネルからサブチャンネルに切り替えたとき、サブチャンネルで放送されている番組を常に最初から視聴することが出来る。
【００１１】
【発明の実施の形態】
以下、本発明をＤＡＢ受信機に実施した形態につき、図面に沿って具体的に説明する。
本発明に係るＤＡＢ受信機は、図１に示す如く、多チャンネルのデジタルオーディオ放送信号が多重された電波を受信するためのアンテナ（１）を具えてＲＦ信号を選択するチューナ（２）と、チューナ（２）によって選択されたＲＦ信号にベースバンド復調を施してデジタル複合情報を生成するベースバンド復調回路（３）と、ベースバンド復調回路（３）から得られるデジタル複合情報にチャンネル復調を施してメインチャンネル及びサブチャンネルの受信データを生成するチャンネル復調回路（４）と、チャンネル復調回路（４）にて復調されたメインチャンネル及びサブチャンネルの内、ユーザが選択したチャンネルの受信データにオーディオ復調を施してオーディオデータを生成するオーディオ復調回路（５）と、オーディオ復調回路（５）から得られるオーディオデータを増幅してスピーカ（７）へ供給するオーディオ増幅回路（６）とを具えている。
又、チャンネル復調回路（４）には、マイクロコンピュータから構成されるコントローラ（９）が接続されており、該コントローラ（９）には、メモリ（８）及び操作キー（１０）が接続されている。
【００１２】
コントローラ（９）は、チャンネル復調回路（４）から得られるサブチャンネルの受信データを更新しつつ常時、メモリ（８）に書き込む動作を行なっており、これによって、メモリ（８）には、常にサブチャンネルの１つの番組を構成する受信データが、何れかのアドレスを先頭アドレスとして、サイクリックに書き込まれることになる。
【００１３】
図２は、メインチャンネルとサブチャンネルのデータ送信フォーマットを表わしている。メインチャンネルの送信データは、ヘッダ情報Ｈmi(ｉ＝１、２、・・・ｎ、・・・)とメインチャンネル情報Ｓmi(ｉ＝１、２、・・・ｎ、・・・)とから構成されるフレーム単位の時系列データである。同様に、サブチャンネルの送信データも、ヘッダ情報Ｈsi(ｉ＝１、２、・・・ｎ、・・・)とサブチャンネル情報Ｓsi(ｉ＝１、２、・・・ｎ、・・・)とから構成されるフレーム単位の時系列データである。  ここで、サブチャンネルのデータは、所定の複数フレーム(Ｆ１〜Ｆｎ)で１つの番組(単位情報)を構成しており、各フレームのヘッダ情報には、フレームの総数ｎと順位(番号)１〜ｎとが含まれている。この場合、前記メモリ(８)には、少なくともｎ個のフレームに含まれるサブチャンネル情報Ｓs1〜Ｓsnを格納することが出来る容量を確保しておく必要がある。
【００１４】
例えば図３に示す如く、サブチャンネルとして、単位情報（番組）Ｉ１、Ｉ２、Ｉ３が順次送信されてきた場合において、時刻ｔ１でユーザがメインチャンネルからサブチャンネルに切り替えたとすると、従来の受信機では、単位情報Ｉ１の途中から音声の再生が開始されていたが、本発明の受信機では、後述の処理によって、単位情報Ｉ１の最初から音声の再生を開始することが出来る。
【００１５】
図４は、上記コントローラ（９）が実行する受信制御手続きを表わしている。
受信機の電源がオンとなって、所望の放送局の放送を受信している状態で、先ずステップＳ１では、受信したチャンネルデータの処理対象を次のフレームに移動し、ステップＳ２にて、図５に示すフレーム処理を実行する。即ち、ステップＳ１１にて、メインチャンネルとサブチャンネルの現フレームのデータを抽出した後、ステップＳ１２にて、抽出されたフレーム（Ｎｏ．ｉ）のサブチャンネルデータをメモリのｉ番地に上書きする。
その後、図４のステップＳ３にて、前記操作キー（１０）の操作によってサブチャンネルが選択されたかどうかを判断し、ここでノーと判断されたときは、ステップＳ４に移行して、メインチャンネルデータを前記オーディオ復調回路（５）へ出力する。
【００１６】
ステップＳ３にてイエスと判断されたときは、ステップＳ５に移行して、サブチャンネルの番組の先頭フレーム（Ｎｏ．１）のデータを前記オーディオ復調回路（５）へ出力する。続いてステップＳ６では、処理対象を次のフレームに移動し、ステップＳ７にて、図５のフレーム処理を実行する。その後、図４のステップＳ８では、次のフレームのサブチャンネルデータを前記オーディオ復調回路（５）へ出力する。次に、ステップＳ９にて、サブチャンネルのフレーム番号がヘッダから得られるフレーム総数ｎと一致したかどうかが判断され、ここでノーと判断されたときは、ステップＳ６〜Ｓ８が繰り返される。
これによって、フレーム処理によるサブチャンネルデータのメモリへの書込みが行なわれつつ、サブチャンネルデータ（フレームＮｏ．１〜Ｎｏ．ｎ）のメモリからの読出し、再生が行なわれることになる。
その後、ステップＳ９にてイエスと判断されたときは、ステップＳ１に戻る。
【００１７】
上記ＤＡＢ受信機によれば、例えば図３に示す如く、サブチャンネルとして、同じ番組を構成するデータが単位情報の時系列Ｉ１、Ｉ２、Ｉ３として順次送信されてきた場合、各単位情報に含まれるデータは、メモリ（８）に更新されつつ書き込まれる。従って、メモリ（８）には、常に、現時点の受信データを最新のデータとして、過去の１番組分のデータが格納されていることになる。
ここで、ユーザが時刻ｔ１にてメインチャンネルからサブチャンネルに切り替える操作を行なった場合、その時点で、メモリ（８）に格納されているサブチャンネルの単位情報Ｉ１の先頭フレームから読出しが開始され、読み出されたデータがオーディオ復調回路へ出力されて、番組Ｉ１の再生が行なわれる。従って、ユーザは、番組を最初から聴くことが出来る。
そして、番組Ｉ１の再生が終了した時点ｔ２にて、サブチャンネルからメインチャンネルへの切替えが行なわれる。従って、ユーザは、何ら操作を行なうことなく、再びメインチャンネルの番組を聴くことが出来る。
【００１８】
尚、図３の例では、単位情報の時系列Ｉ１、Ｉ２、Ｉ３が同じ番組の繰り返しであるとしているが、異なる番組であってもよく、この場合は、サブチャンネルへの切替えによって番組Ｉ１を再生した後、次の番組Ｉ２、Ｉ３を再生する。そして、ユーザ操作に応じて、サブチャンネルからメインチャンネルへの切替えを行なう。
【図面の簡単な説明】
【図１】本発明に係るＤＡＢ受信機の構成を表わすブロック図である。
【図２】メインチャンネルとサブチャンネルのデータ送信フォーマットを表わすタイムチャートである。
【図３】メインチャンネルからサブチャンネルの切替えに伴う動作例を表わすタイムチャートである。
【図４】本発明に係るＤＡＢ受信機の制御手続きを表わすフローチャートである。
【図５】フレーム処理の手続きを表わすフローチャートである。
【符号の説明】
（４）  チャンネル復調回路
（５）  オーディオ復調回路
（８）  メモリ
（９）  コントローラ
（１０）  操作キー
【図１】
0003600152.tif 000002
【図２】
0003600152.tif 000003
【図３】
0003600152.tif 000004
【図４】
0003600152.tif 000005
【図５】
0003600152.tif 000006